(57)【要約】【課題】水素ガス製造設備より排出されるオフガスを効率的に利用することができる、水素ガス製造設備より排出されるオフガスの利用方法を提供する。【解決手段】コークス炉１で発生するコークス炉ガスを原料にして水素ガス２ａを製造する水素ガス製造設備（ＰＳＡ設備）２より排出されるオフガス２ｂを発電所４の燃料として利用することとし、発電所行きコークス炉ガス配管４ａの途中５ｂから分岐したガスホルダー５行き配管５ａの途中にオフガス配管３ｂを接続してオフガス２ｂを装入することによって、オフガス２ｂをガスホルダー５に貯蔵・払出しができるようにしている。【選択図】図１
2014024931.tif 000002
【特許請求の範囲】
【請求項１】
コークス炉ガスを原料にして水素ガスを製造する水素ガス製造設備より排出されるオフガスを発電所の燃料として利用することとし、
発電所行きコークス炉ガス配管の途中から分岐したガスホルダー行き配管にオフガスを装入することによって、オフガスをガスホルダーに貯蔵・払出しができるようにしたことを特徴とする、水素ガス製造設備より排出されるオフガスの利用方法。
【請求項２】
ガスホルダー行き配管にオフガスを装入する際に、発電所行きコークス炉ガス配管とガスホルダー行き配管の分岐点から、ガスホルダー行き配管の直径の２倍〜１０倍離れた位置に装入することを特徴とする請求項１に記載の、水素ガス製造設備より排出されるオフガスの利用方法。
【発明の詳細な説明】
【技術分野】
【０００１】
本発明は、製鉄所副生ガスを原料にして水素ガスを製造する設備より排出されるオフガスを有効に利用する方法に関する。
【背景技術】
【０００２】
従来から、製鉄所副生ガス（例えば、コークス炉ガス（ＣＯＧ））を水素ガス製造設備（水素ＰＳＡ設備）に導入して、製鉄所副生ガスから水素を分離する技術は知られている（例えば特許文献１，２参照）。
【０００３】
このような技術において、水素ガス製造設備（水素ＰＳＡ設備）にて水素を分離した残りであるオフガスは、一般的に製鉄所副生ガス（コークス炉ガス）に再混入されることで利用される。
【先行技術文献】
【特許文献】
【０００４】
【特許文献１】特開平１１−００９９３４号公報
【特許文献２】特開２００４−２２４９２６号公報
【発明の概要】
【発明が解決しようとする課題】
【０００５】
通常、製鉄所副生ガス（コークス炉ガス）から水素を分離した残りであるオフガスは、炭化水素が主成分となり、製鉄所副生ガス（コークス炉ガス）よりも高カロリーのガスである。
【０００６】
したがって、オフガスを単純に製鉄所副生ガス（コークス炉ガス）に再混入すると、オフガスの充分な寄与効果が得られない。
【０００７】
すなわち、例えば、オフガスを発電所行きのコークス炉ガス配管に直接装入した場合、発電所行きのコークス炉ガスのカロリーを日間で平均的に上昇させることは可能だが、電気代の安い夜間にもオフガスを使用することになりデメリットとなる。
【０００８】
本発明は、上記のような事情に鑑みてなされたものであり、水素ガス製造設備より排出されるオフガスを効率的に利用することができる、水素ガス製造設備より排出されるオフガスの利用方法を提供することを目的とするものである。
【課題を解決するための手段】
【０００９】
上記課題を解決するために、本発明は以下の特徴を有する。
【００１０】
［１］コークス炉ガスを原料にして水素ガスを製造する水素ガス製造設備より排出されるオフガスを発電所の燃料として利用することとし、
発電所行きコークス炉ガス配管の途中から分岐したガスホルダー行き配管にオフガスを装入することによって、オフガスをガスホルダーに貯蔵・払出しができるようにしたことを特徴とする、水素ガス製造設備より排出されるオフガスの利用方法。
【００１１】
［２］ガスホルダー行き配管にオフガスを装入する際に、発電所行きコークス炉ガス配管とガスホルダー行き配管の分岐点から、ガスホルダー行き配管の直径の２倍〜１０倍離れた位置に装入することを特徴とする前記［１］に記載の、水素ガス製造設備より排出されるオフガスの利用方法。
【発明の効果】
【００１２】
本発明においては、発電所行きコークス炉ガス配管から分岐して設置されているガスホルダー行きの配管の分岐点からガスホルダー行き配管にオフガスを装入するようにしているので、夜間はオフガスをガスホルダーに貯蔵し、昼間にオフガスをガスホルダーから発電所向けに払出しすることができる。これにより、電力単価の安い夜間には電気を購入するとともに、オフガスをガスホルダーに貯蔵し、電力単価の高い昼間に高カロリーのオフガスを発電所燃料として用いて効果的に発電することができる。
【図面の簡単な説明】
【００１３】
【図１】本発明の一実施形態における配管系統を示す図である。
【図２】本発明の一実施形態におけるオフガスの装入位置による発電所行きのガスカロリーを示した図である。
【発明を実施するための形態】
【００１４】
本発明の一実施形態を図面に基づいて説明する。
【００１５】
図１は、本発明の一実施形態における配管系統を示す図である。
【００１６】
図１に示すように、この実施形態においては、コークス炉１で発生するコークス炉ガスを原料にして水素ガス２ａを製造する水素ガス製造設備（ＰＳＡ設備）２より排出されるオフガス２ｂを発電所４の燃料として利用することとし、発電所行きコークス炉ガス配管４ａの途中５ｂから分岐したガスホルダー５行き配管５ａの途中にオフガス配管３ｂを接続してオフガス２ｂを装入することによって、オフガス２ｂをガスホルダー５に貯蔵・払出しができるようにしている。なお、コークス炉ガスは工場６にも供給される。
【００１７】
ちなみに、従来は、発電所行きのコークス炉ガス配管４ａの途中にオフガス配管３ａを接続してオフガス２ｂを装入して、オフガス２ｂをコークス炉ガスと混合するようにしていた。
【００１８】
これによって、この実施形態においては、電力単価の安い夜間には電気を購入するとともに、オフガス２ｂをガスホルダー５に貯蔵しておき、電力単価の高い昼間に高カロリーのオフガスをガスホルダー５から払出して発電所４の燃料として用いることにより、効果的に発電することができる。
【００１９】
なお、図２は、ガスホルダー５行き配管５ａの途中にオフガス配管３ｂを接続してオフガス２ｂを装入した際に、ガスホルダー５行き配管５ａの直径Ｄに対するオフガス２ｂの装入位置の分岐点５ｂからの距離Ｌの比率Ｌ／Ｄと発電所行きのガスカロリーの関係を示す図である。
【００２０】
この図２から、Ｌ／Ｄが２〜１０の時に、発電所４において良好な燃焼が得られることが分かる。
【００２１】
なお、ガスホルダー５のピストンが長時間停止した際には、オフガス２ｂは発電所行きガス配管４ａに流れるため、オフガス２ｂがガスホルダー行き配管５ｂに滞留することはない。
【実施例】
【００２２】
本発明の実施例を以下に述べる。
【００２３】
コークス炉１からコークス炉ガス発生量が１４００００Ｎｍ３／ｈ、ＰＳＡ設備２からのオフガス２ｂの発生量が１０００Ｎｍ３／ｈのとき、オフガス２ｂをオフガス配管３ａによってコークス炉ガスに混入した場合は、発電所４及びコークス炉ガス使用工場６行きのコークス炉ガスのカロリーが平均７ｋｃａｌ／Ｎｍ３上昇していた。
【００２４】
これに対して、本発明に基づいて、オフガス２ｂをガスホルダー５行き配管５ａに装入した場合（分岐点５ｂより配管直径Ｄの２倍離れた位置に装入）には、ガスホルダー４に貯蔵されるガスのカロリーが６４ｋｃａｌ／Ｎｍ３上昇し、また、発電所４にガスホルダー５からガスが払出される際には、さらにオフガス５ｂが混入され、合計で１３５ｋｃａｌ／Ｎｍ３上昇するという効果が得られた。
【符号の説明】
【００２５】
１  コークス炉
２  水素ガス製造設備（水素ＰＳＡ設備）
２ａ  水素ガス
２ｂ  オフガス
３ａ  オフガス配管
３ｂ  オフガス配管
４  発電所
４ａ  発電所行きコークス炉ガス配管
５  ガスホルダー
５ａ  ガスホルダー行きコークス炉ガス配管
５ｂ  ガスホルダー行きコークス炉ガス配管分岐点
６  コークス炉ガス使用工場
【図１】
2014024931.tif 000003
【図２】
2014024931.tif 000004